(57)【要約】【課題】小剣部を小剣通しに通したりネクタイピンを使う必要が無く、大剣部の陰から小剣部が見えたりしても、見苦しくなることを防止可能なネクタイを提供する。【解決手段】着用時に正面側に垂れ下がる大剣部１０、着用時に着用者の首に巻き付けて結び目を形成する中継ぎ部２０、及び、着用時に大剣部１０の裏側に垂れ下がる小剣部３０からなる。大剣部１０にその先端１１からまっすぐな４本のスリット１２を入れて、５本の細長い先割れ部分１３を形成するとともに、小剣部３０にその先端３１からまっすぐな１本のスリット３２を入れて２本の細長い先割れ部分３３を形成する。【選択図】図１
2015212453.tif 000002
【特許請求の範囲】
【請求項１】
着用時に着用者の正面側に垂れ下がる大剣部と、着用時に着用者の首に巻き付けて結び目を形成する中継ぎ部と、着用時に着用者の正面側で当該大剣部の裏側に垂れ下がる小剣部と、が長手方向に連続して形成されたネクタイであって、
前記大剣部には、前記大剣部の先端から前記中継ぎ部に向かうスリットがネクタイの長手方向に１本又は複数本形成されていることを特徴とするネクタイ。
【請求項２】
前記小剣部には、前記小剣部の先端から前記中継ぎ部に向かうスリットがネクタイの長手方向に１本又は複数本形成されていることを特徴とする請求項１に記載のネクタイ。
【発明の詳細な説明】
【技術分野】
【０００１】
本発明は、ネクタイに関する。
【背景技術】
【０００２】
現代社会において、洋装の一部としてネクタイが広く着用されている。ネクタイには様々な形状があるが、最もよく見かけるものが、大剣部と、中継ぎ部と、小剣部と、が長手方向に連続して形成された１本の細長い形状のネクタイである（非特許文献１を参照）。  このようなネクタイの着用時には、大剣部が着用者の正面側に垂れ下がり、中継ぎ部が着用者の首に巻き付けられて結び目を形成し、着用者の正面側で小剣部が大剣部の裏側に垂れ下がる。
【０００３】
また、大剣部の裏側には、小剣通しが形成されており、ネクタイの着用時に、小剣部を小剣通しに通すことが多い。小剣部を小剣通しに通すことによって、大剣部と小剣部とを見栄えよくひとつに纏めておくことができる。
【先行技術文献】
【非特許文献】
【０００４】
【非特許文献１】“ネクタイ辞典：各部の名称”［２０１３年５月２４日検索］インターネット＜ＵＲＬ：ｈｔｔｐ：／／ｗｗｗ．ｒａｋｕｔｅｎ．ｎｅ．ｊｐ／ｇｏｌｄ／ｈｆｆ／ｎｅｃｋｔｉｅ／ｎｅｃｋｔｉｅ０２．ｈｔｍｌ＞
【発明の概要】
【発明が解決しようとする課題】
【０００５】
普通、小剣通しは糸で大剣部の裏側に簡単に縫い付けられているだけであり、ネクタイを繰り返し使用しているうちに小剣通しが取れてしまいやすい。また、小剣部を小剣通しに通す代わりに、ネクタイピンで大剣部と小剣部とをひとつに纏めておくことが可能であるが、ネクタイピンは小さく落としたりして無くすことが多い。
【０００６】
このため、ネクタイの着用時には、大剣部と小剣部とをひとつに纏めることをせず、そのまま大剣部と小剣部を首から垂らした状態にしておくことも多い。しかし、このような状態では、着用者が身体を動かすことによって大剣部と小剣部がばらばらに動き、大剣部の陰から小剣部が見えたりして見苦しくなることも多い。
【０００７】
本発明は、上記問題を解決するものであり、その目的とするところは、小剣部を小剣通しに通したりネクタイピンを使う必要が無く、ネクタイ着用時に大剣部の陰から小剣部がはみ出して見えたりしても、見苦しくなることを防止可能なネクタイを提供することである。
【課題を解決するための手段】
【０００８】
本発明は、その課題を解決するために以下のような構成をとる。請求項１の発明に係るネクタイは、着用時に着用者の正面側に垂れ下がる大剣部と、着用時に着用者の首に巻き付けて結び目を形成する中継ぎ部と、着用時に着用者の正面側で当該大剣部の裏側に垂れ下がる小剣部と、が長手方向に連続して形成されたネクタイであって、前記大剣部には、前記大剣部の先端から前記中継ぎ部に向かうスリットがネクタイの長手方向に１本又は複数本形成されていることを特徴とする。
【０００９】
スリットが、大剣部の先端から１本又は複数本形成されているので、大剣部の少なくとも先端部分には、２本又は複数本の細い先割れ部分が存在することとなる。この細い先割れ部分が、ネクタイ着用時に小剣部と共に垂れ下がる。大剣部の裏側に垂れ下がる小剣部が大剣部の陰からはみ出したりしても、小剣部は大剣部の細い先割れ部分に紛れてしまい、はみ出した小剣部は目立ちにくい。
【００１０】
また、大剣部にこのようなスリットを形成することで、従来のネクタイとは異なるデザインとなり、ネクタイ着用者に新たなファッションの選択肢を与えることができる。
なお、大剣部のスリットの長さは長短任意の長さとすることが可能である。例えば、スリットが、ネクタイ着用時に首元の結び目近傍まで達していても良い。また、スリットが、大剣部の真ん中近傍までスリットが達していても良い。スリットが、大剣部の先端部分にだけ形成されていても良い。
【００１１】
請求項２の発明に係るネクタイは、請求項１に記載のネクタイであって、前記小剣部には、前記小剣部の先端から前記中継ぎ部に向かうスリットがネクタイの長手方向に１本又は複数本形成されていることを特徴とする。
【００１２】
スリットが、小剣部の先端から１本又は複数本形成されているので、小剣部の少なくとも先端部分には、２本又は複数本の細い先割れ部分が存在することとなる。小剣部のスリットの本数と大剣部のスリットの本数とを調整することで、大剣部の細い先割れ部分の幅と、小剣部の細い先割れ部分の幅と、を同じ幅にすることができる。
【００１３】
小剣部にも細い先割れ部分を形成することによって、ネクタイ着用時において、大剣部の裏側に垂れ下がる小剣部が大剣部の陰からはみ出したりしても、大剣部の細い先割れ部分と、小剣部の細い先割れ部分と、が、互いに紛れてしまい、はみ出した小剣部はより一層目立ちにくくなる。
【００１４】
また、小剣部にもこのようなスリットを形成することで、従来のネクタイとは異なるデザインとなり、ネクタイ着用者に与える新たなファッションの選択肢がより一層広がる。
なお、小剣部のスリットの長さは長短任意の長さとすることが可能であることは、大剣部のスリットの場合と同様である。
【発明の効果】
【００１５】
上記のようなネクタイであるので、小剣部を小剣通しに通したりネクタイピンを使う必要が無く、ネクタイ着用時に大剣部の陰から小剣部がはみ出して見えたりしても、見苦しくなることを防止可能である。
【図面の簡単な説明】
【００１６】
【図１】ネクタイの斜視図である。
【発明を実施するための形態】
【００１７】
本発明の実施の形態を図１を参照しつつ説明する。
図１に示すように、ネクタイ１は、大剣部１０、中継ぎ部２０、及び小剣部３０を有しており、大剣部１０、中継ぎ部２０、及び小剣部３０が長手方向に順番に連なって１本の細長いネクタイ１を形成している。
【００１８】
大剣部１０の先端１１から中継ぎ部２０に向かって、４本のまっすぐに伸びるスリット１２が大剣部１０に形成されている。各スリット１２は、大剣部１０の長手方向ほぼ中央にまで達している。そして、４本のスリット１２によって、大剣部１０には５本の細長い先割れ部分１３が形成されている。
【００１９】
小剣部３０の先端３１から中継ぎ部２０に向かって、１本のまっすぐに伸びるスリット３２が小剣部３０に形成されている。スリット３２は、小剣部３０の長手方向ほぼ中央にまで達している。そして、１本のスリット３２によって、小剣部３０には２本の細長い先割れ部分３３が形成されている。
【００２０】
なお、先割れ部分１３の横幅と先割れ部分２３３の横幅とは、互いに同じ幅であるか、殆ど同じ幅である。
ネクタイ１は以上述べた構成を有している。次に、ネクタイ１が奏する作用効果について説明する。
【００２１】
ネクタイ１の着用者は、先ず、中継ぎ部２０を首に巻き、結び目を作り、この結び目に大剣部１０を通して垂らし、大剣部１０の裏側に小剣部３０を垂らす。５本の先割れ部分１３と２本の先割れ部分３３とは、ひと纏まりになってすだれ状に着用者の正面側に垂れ下がることとなる。
【００２２】
着用者が身体をゆすったりして動かすと、大剣部１０と小剣部３０とが、着用者の正面で揺れ動く。そして、先割れ部分１３と先割れ部分３３も、着用者の正面で一緒になって揺れ動く。このとき、大剣部１０の後ろから小剣部３０がはみ出して見えたりすることがあっても、先割れ部分１３と先割れ部分３３とがひと纏まりになって一緒に揺れ動き、互いに紛れてしまう。このため、他人から見て、大剣部１０の後ろからはみ出した小剣部３０は、目立ちにくくなり、見苦しさもなくなる。
【００２３】
したがって、大剣部１０の後ろから小剣部３０がはみ出して見えたりすることがあっても、はみ出した小剣部３０は、目立ちにくく、見苦しさもなくなっているので、ネクタイピンや小剣通しを使って大剣部１０と小剣部３０とをひと纏まりにしておく必要がなくなる。
さらに、先割れ部分１３と先割れ部分３３とがひと纏まりになって揺れ動くことによって、ネクタイ１は従来のネクタイとは異なる新たなデザインとなり、着用者は新たなファッションを楽しむことが可能となる。
【００２４】
本実施の形態において、スリット１２は、大剣部１０の長手方向ほぼ中央にまで達しているとしたが、スリット１２の長さがかかる長さに限定されるものではないことは勿論である。例えば、スリット１２が、大剣部１０と中継ぎ部２０の境目近傍まで達していても良い。又は、スリット１２が、先端１１にのみ形成されていても良い。
【００２５】
本実施の形態において、スリット３２は、小剣部３０の長手方向ほぼ中央にまで達しているとしたが、スリット３２の長さがかかる長さに限定されるものではないことは勿論である。例えば、スリット３２が、小剣部３０と中継ぎ部２０の境目近傍まで達していても良い。又は、スリット３２が、先端３１にのみ形成されていても良い。
【００２６】
本実施の形態において、４本のスリット１２が大剣部１０に形成されているとしたが、スリット１２の本数が４本に限定されるものではないことは勿論である。例えば、スリット１２の本数が、１本、２本又は３本であっても良い。あるいは、スリット１２の本数が、５本以上の数であっても良い。
【００２７】
本実施の形態において、１本のスリット３２が小剣部３０に形成されているとしたが、スリット３２の本数が１本に限定されるものではないことは勿論である。例えば、スリット３２の本数が、２本あるいは３本であっても良い。あるいは、スリット３２の本数が、４本以上の数であっても良い。
【００２８】
また、小剣部３０がスリット３２を有していない構成とすることも可能である。なお、小剣部３０がスリット３２を有しない場合、大剣部１０に形成するスリット１２の本数を１本又は２本とし、先割れ部分１３の幅と先割れ部分３３の幅とをほぼ同じ幅にすれば、着用時における先割れ部分１３と先割れ部分３３との一体感がより高まり、好ましい。
【符号の説明】
【００２９】
１    ネクタイ
１０    大剣部
１１    大剣部の先端
１２    大剣部のスリット
１３    大剣部の先割れ部分
２０    中継ぎ部
３０    小剣部
３１    小剣部の先端
３２    小剣部のスリット
３３    小剣部の先割れ部分
【図１】
2015212453.tif 000003